(57)【特許請求の範囲】
【請求項１】
帯状の台紙にラベルが貼付されて巻かれたラベルロール、または帯状の用紙が巻かれたロール紙、を保持するロール紙保持部と、
前記ロール紙保持部から前記台紙ごと引き出された前記ラベル、または前記ロール紙保持部から引き出された前記用紙、に印刷を施す印刷部と、
印刷後の前記ラベルが剥がされた前記台紙、または印刷後の前記用紙、である巻取対象を、回転駆動される巻取軸によって巻き取って保持する巻取保持部と、
前記巻取軸に設けられ、外周の複数個所に切欠きを有するフランジ部と、
前記巻取保持部を開閉する蓋であって、外縁部下方を回動自在に支持され、前記巻取保持部の側壁の一部として機能する起立位置と、前記巻取保持部を開放して横たわる平臥位置と、の間で移動自在であるカバーと、
前記カバーの内側面に設けられ、前記巻取軸を、前記カバーの回動中心に接離する方向に移動自在に支持し且つ前記回動中心から離れた位置で受入および解放するものであって、前記カバーが前記起立位置にある状態で前記巻取軸が前記巻取保持部において回転駆動される位置である駆動位置にあることを許容し、前記カバーが前記平臥位置に至ると前記フランジ部または前記巻取軸に巻き取られた前記巻取対象の外周が前記カバーの内側面に接触する位置に前記巻取軸を位置させる第１の案内溝と、
を備えるプリンタ。
【請求項２】
前記巻取保持部内に設けられて、前記巻取軸を、前記駆動位置と、当該駆動位置よりも高い前記巻取保持部の開閉口の所定位置との間で移動自在に支持するものであって、前記カバーの前記起立位置への移動中に前記所定位置で前記巻取軸を受ける第２の案内溝をさらに備える
ことを特徴とする請求項１に記載のプリンタ。
【請求項３】
前記第１の案内溝の案内方向と前記第２の案内溝の案内方向とは前記巻取保持部内では交わり、
前記巻取軸を前記駆動位置において回転自在に保持する軸ロック部材をさらに備える
ことを特徴とする請求項２に記載のプリンタ。
【請求項４】
前記第２の案内溝は、当該第２の案内溝により案内される前記巻取軸を、前記巻取対象の巻きを締める方向に転がして移動させる
ことを特徴とする請求項２または３に記載のプリンタ。
【発明の詳細な説明】
【技術分野】
【０００１】
本発明の実施形態は、プリンタに関する。
【背景技術】
【０００２】
従来、ラベルロールを用いるプリンタには、印刷後のラベルが剥離された台紙を、筐体内に巻き取って保持するものがある。巻き取られた台紙を取り出す際には、プリンタの筐体に設けられた扉を開ける。
【０００３】
台紙は、回転する巻取軸に巻き付けられて巻き取られる。上述の扉を開けるなどすると、例えば台紙を押さえていた部材が離れたりするために、紙の腰によって巻きが戻って、巻きが緩んでしまうことがある。
【０００４】
上述のようなプリンタでは、例えば用紙の種類やサイズを替えるときに、使いかけのラベルロールから台紙を切断せずにつなげたまま取り出して取り置く、という使い方をすることがある。この使い方では、ラベルロールを再使用する際、ラベルロールおよび台紙を、両者がつながったままで筐体内に戻し入れる。
【０００５】
しかしながら、このときに台紙の巻きが緩んでいると、巻取軸をセットする際に台紙の巻きを締めなければならず、煩雑である。
【０００６】
なお、ラベルロールに限らず、ロール紙でも、例えばジャーナルプリンタなどのように印刷後に巻き取る場合には、同様の問題が生じうる。
【発明の概要】
【発明が解決しようとする課題】
【０００７】
本発明が解決しようとする課題は、巻き取られた台紙を取り出す際に、巻きが緩むことを防止できるプリンタを提供することである。
【課題を解決するための手段】
【０００８】
実施形態のプリンタは、ロール紙保持部と、印刷部と、巻取保持部と、フランジ部と、カバーと、第１の案内溝と、を備える。ロール紙保持部は、帯状の台紙にラベルが貼付されて巻かれたラベルロール、または帯状の用紙が巻かれたロール紙、を保持する。印刷部は、前記ロール紙保持部から前記台紙ごと引き出された前記ラベル、または前記ロール紙保持部から引き出された前記用紙、に印刷を施す。巻取保持部は、印刷後の前記ラベルが剥がされた前記台紙、または印刷後の前記用紙、である巻取対象を、回転駆動される巻取軸によって巻き取って保持する。フランジ部は、前記巻取軸に設けられ、外周の複数個所に切欠きを有する。カバーは、前記巻取保持部を開閉する蓋であって、外縁部下方を回動自在に支持され、前記巻取保持部の側壁の一部として機能する起立位置と、前記巻取保持部を開放して横たわる平臥位置と、の間で移動自在である。第１の案内溝は、前記カバーの内側面に設けられ、前記巻取軸を、前記カバーの回動中心に接離する方向に移動自在に支持し且つ前記回動中心から離れた位置で受入および解放するものであって、前記カバーが前記起立位置にある状態で前記巻取軸が前記巻取保持部において回転駆動される位置である駆動位置にあることを許容し、前記カバーが前記平臥位置に至ると前記フランジ部または前記巻取軸に巻き取られた前記巻取対象の外周が前記カバーの内側面に接触する位置に前記巻取軸を位置させる。
【図面の簡単な説明】
【０００９】
【図１】図１は、実施形態のプリンタの外観を示す斜視図である。
【図２】図２は、実施形態のプリンタの筐体を開けた状態を示す斜視図である。
【図３】図３は、実施形態のプリンタの構造を示す縦断左側面図である。
【図４】図４は、実施形態の巻取軸の外観を示す斜視図である。
【図５】図５は、実施形態の台紙を巻き取った後の巻取軸を示す斜視図である。
【図６】図６は、実施形態の巻取保持部を開ける途中の状態を示す図である。
【図７】図７は、実施形態の巻取保持部を開けた状態を示す図である。
【図８】図８は、実施形態の巻取保持部を閉じる途中の状態を示す図である。
【図９】図９は、実施形態の巻取保持部を閉じた状態を示す図である。
【発明を実施するための形態】
【００１０】
実施形態について図面を用いて説明する。図１は、プリンタ１の外観を示す斜視図である。図２は、プリンタ１の筐体２を開けた状態を示す斜視図である。図３は、プリンタ１の構造を示す縦断左側面図である。
【００１１】
プリンタ１は、筐体２を備えている。筐体２は、上面開口の箱である本体部２１と、本体部２１の開口を閉じる蓋部２２と、を備えている。本体部２１と蓋部２２とは、プリンタ１の背面側において、ヒンジ２３によって回動自在に接続されている。プリンタ１の正面側には、印刷物が出てくる発行口２４が設けられている。発行口２４は、本体部２１と蓋部２２との間に設けられている。
【００１２】
プリンタ１は、本体部２１内の背面寄りに、ロール紙保持部３を備えている。ロール紙保持部３は、ラベルロールＲないしロール紙（不図示）を、回転自在に保持する。ここで、ラベルロールＲは、帯状の台紙Ｍに、ラベルＬが貼付されたものである。ラベルＬは、所定寸法の用紙の裏面に粘着剤の層が設けられたものである。台紙Ｍは、帯状の用紙の表面に、粘着剤が剥がれやすいコーティングが施されたものである。ロール紙は、帯状の用紙が巻かれたものである。ラベルロールＲおよびロール紙のいずれも、巻芯（コア）の有無は問わない。
【００１３】
プリンタ１は、筐体２内の正面寄りに、印刷部４を備えている。印刷部４は、プラテンローラ４１と、サーマルヘッド４２と、を備えている。プラテンローラ４１は、本体部２１内に設けられ、サーマルヘッド４２は、蓋部２２に固定されている。プラテンローラ４１は、用紙をサーマルヘッド４２との間に挟んで支えるとともに、回転することにより用紙を搬送する。サーマルヘッド４２は、加熱することにより用紙に印刷を施す。
【００１４】
図４は、巻取軸５１の外観を示す斜視図である。図５は、台紙Ｍを巻き取った後の巻取軸５１を示す斜視図である。
【００１５】
プリンタ１は、筐体２内の正面寄りに、巻取保持部５を備えている。巻取保持部５は、巻取対象を、回転駆動される巻取軸５１によって巻き取って保持する。巻取対象は、ロール紙保持部３が保持するのがラベルロールＲであれば、印刷後のラベルＬが剥がされた台紙Ｍであり、ロール紙保持部３が保持するのがロール紙であれば、印刷後の用紙である。
【００１６】
巻取軸５１は、軸部５２、フランジ部５３、ギヤ５４、および被案内部５５，５６を有している。
【００１７】
軸部５２は、略円柱形で、巻取対象が巻き付く芯であって、巻取軸５１全体の両端部以外の部分を占める。フランジ部５３は、巻取軸５１の一端部に位置し、軸部５２の端に接した鍔状の部分であり、巻取対象の巻き付け位置の基準となる。
【００１８】
プリンタ１は、本体部２１内に、モータなどの駆動源を備える。ギヤ５４は、巻取軸５１の一方の端に設けられ、駆動源に噛み合って回転駆動される。これにより、巻取軸５１全体が回転駆動される。
【００１９】
被案内部５５，５６は、巻取軸５１の両端部の各々である。被案内部５５は、ギヤ５４とフランジ部５３との間に設けられている。被案内部５６は軸部５２の端に設けられている。
【００２０】
図２，図３に戻り、プリンタ１は、本体部２１の正面の少なくとも一部をなすカバー２５を備えている。カバー２５は、巻取保持部５を開閉する蓋である。カバー２５は、外縁部の下方を回動自在に支持され、起立位置と平臥位置との間で移動自在である。起立位置におけるカバー２５は、巻取保持部５の側壁の一部として機能する。また、平臥位置におけるカバー２５は、巻取保持部５を開放して横たわる。
【００２１】
プリンタ１は、軸取出部材６をさらに備えている。軸取出部材６は、一対の平板６１，６２を備えている。平板６１，６２は、カバー２５の内側面に立てられた部材であって、巻取軸５１の軸方向に略直交する。平板６１，６２の各々には、取出溝６３，６４が設けられている。取出溝６３，６４は、巻取軸５１の各端部である被案内部５５，５６を支持する。また、取出溝６３，６４は、カバー２５の位置に応じて巻取軸５１を移動させる。
【００２２】
このような軸取出部材６は、カバー２５が起立位置にある状態で、巻取軸５１が巻取保持部５において回転駆動される位置にあることを許容する。
【００２３】
また、軸取出部材６は、カバー２５が平臥位置へ移動するときに連動部として機能し、カバー２５が巻取保持部５を開放するのに伴って、巻取軸５１を巻取保持部５の外側へ移動させる。
【００２４】
さらに、軸取出部材６は、カバー２５が平臥位置に至ると、巻取軸５１の回転を阻止するブレーキとして機能する。つまり、ブレーキとしての軸取出部材６は、連動部としての軸取出部材６が巻取軸５１を巻取保持部５の外側へ移動させると、フランジ部５３または巻取軸５１に巻き取られた巻取対象の外周がカバー２５の内側面に接触する位置に、巻取軸５１を位置させる。ここで、カバー２５に外周が接触するのは、フランジ部５３と巻取軸５１に巻き取られた巻取対象とのうち、径が大きい方である。
【００２５】
また、連動部としての軸取出部材６は、カバー２５が巻取保持部５を閉じるのに伴って、巻取軸５１を巻取保持部５の内側へ移動させる。このとき、巻取軸５１は、フランジ部５３または巻取軸５１に巻き取られた巻取対象の外周がカバー２５の内側面に接触する位置に、位置しなくなる。つまり、ブレーキとしての軸取出部材６が、巻取軸５１の回転の阻止を解除する。
【００２６】
さらに、プリンタ１は、軸収納部材７をさらに備えている。軸収納部材７は、一対の平板７１，７２を備えている。平板７１，７２は、巻取保持部５内に立てられた部材であって、巻取軸５１の軸方向に略直交する。平板７１，７２の各々には、被案内部５５，５６を支持する収納溝７３，７４が設けられている。そして、軸収納部材７は、軸ロックピン７５をさらに備えている（図９参照）。
【００２７】
収納溝７３，７４は、巻取軸５１の各端部である被案内部５５，５６を、巻取保持部５内において支持する。また、収納溝７３，７４は、開放端７３ａ，７４ａを有する。開放端７３ａ，７４ａは、取出溝６３，６４が支持する被案内部５５，５６を、カバー２５の起立位置への移動途中で受ける位置に、設けられている。また、開放端７３ａ，７４ａは、巻取保持部５内にさしかかった被案内部５５，５６が、収納溝７３，７４の下縁７３ｂ，７４ｂに乗り上げて、荷重を取出溝６３，６４にかけた状態から脱することにより、上述のブレーキが解除される高さを有する位置、に設けられている。
【００２８】
収納溝７３，７４は、被案内部５５，５６を受けると、カバー２５がさらに起立位置へ向かうのに伴って、被案内部５５，５６を、巻取軸５１が巻取保持部５において回転駆動される位置へと、移動させる。そして、軸ロックピン７５は、被案内部５５，５６を、ギヤ５４が駆動源と噛み合う位置まで巻取軸５１が達したところで、挟み込む。
【００２９】
また、収納溝７３，７４は、当該収納溝７３，７４内を移動する被案内部５５，５６を、転がして移動させる。このときの転がり方向は、巻取対象の巻きを締める方向である。つまり、下縁７３ｂ，７４ｂを転がる際の巻取軸５１の回転方向と、ギヤ５４が駆動源により回転駆動される方向とが、一致している。
【００３０】
以下、プリンタ１の動作について説明する。図６は、巻取保持部５を開ける途中の状態を示す図である。図７は、巻取保持部５を開けた状態を示す図である。
【００３１】
巻き取った台紙Ｍなどの巻取対象を取り出すにあたって、ユーザは、カバー２５を、図６中の矢印で示す方向へ回動させて、巻取保持部５を開放する。すると、軸取出部材６が、巻取軸５１を、巻取保持部５の外へ引き出す。そして、カバー２５が、図２および図７に示すように平臥位置に至ると、フランジ部５３（または巻取軸５１に巻かれた台紙Ｍなどの巻取対象）の外周が、カバー２５の内側面に接触する。これにより、巻取軸５１の回転が阻止される。
【００３２】
図８は、巻取保持部５を閉じる途中の状態を示す図である。図９は、巻取保持部５を閉じた状態を示す図である。
【００３３】
巻取対象がある程度巻き取られた巻取軸５１を巻取保持部５に収納する場合、まず、ユーザは、カバー２５を平臥位置に置いた状態で、巻取軸５１を、取出溝６３，６４に差し込む。これにより、図７に示す状態となる。つまり、軸取出部材６がブレーキとして機能して巻取軸５１の回転が阻止されるので、巻取軸５１に巻き付けられている巻取対象の巻きは緩まない。
【００３４】
続いて、ユーザは、カバー２５を、図８中の矢印で示す方向へ回動させて、巻取保持部５を閉じる。すると、カバー２５が図９に示す起立位置へ至るまでに、まず、被案内部５５，５６が、収納溝７３，７４の下縁７３ｂ，７４ｂに乗り上げ、ここでブレーキが解除される。次に、被案内部５５，５６は、下縁７３ｂ，７４ｂを転がりながら収納溝７３，７４の奥へと移動する。このときの転がり方向は、巻取対象の巻きを締める方向であるので、巻取対象に多少の緩みがあった場合にこれが締まる。そして、カバー２５が起立位置へ至ると、被案内部５５，５６がギヤ５４が駆動源と噛み合う位置に達し、被案内部５５，５６が、軸ロックピン７５に挟み込まれる。
【００３５】
以上説明したとおり、本実施形態によれば、巻取軸に巻き取った巻取対象を取り出す際に、ブレーキが巻取軸の回転を阻止する。これにより、巻取対象の巻きが緩んでしまう不都合を回避することができる。
【００３６】
また、本実施形態によれば、巻取対象がある程度巻き取られた巻取軸を改めて用いるにあたって、巻取軸を再セットしたときに、巻取軸に巻き付いている巻取対象が緩んでしまう不都合を回避することができる。さらに、カバーを閉じる動作に連動して、巻取軸の回転を阻止するブレーキを解除することができる。つまり、ブレーキ解除として意図的に行う操作が不要である。
【００３７】
そして、本実施形態によれば、収納溝が、巻取軸の各端部を、巻取対象の巻きを締める方向に転がして移動させるので、巻取軸に巻き付いた巻取対象の巻きが多少の緩んでいても、緩みは巻取保持部に至るまでに締められる。
【００３８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３９】
１…プリンタ、
２…筐体、２１…本体部、２２…蓋部、２３…ヒンジ、２４…発行口、２５…カバー、
３…ロール紙保持部、
４…印刷部、４１…プラテンローラ、４２…サーマルヘッド、
５…巻取保持部、
５１…巻取軸、５２…軸部、５３…フランジ部、５４…ギヤ、５５，５６…被案内部、
６…軸取出部材、６１，６２…平板、６３，６４…取出溝、
７…軸収納部材、７１，７２…平板、７３，７４…収納溝、７３ａ，７４ａ…開放端、
７５…軸ロックピン。
【先行技術文献】
【特許文献】
【００４０】
【特許文献１】特開２０００−３２７１８５号公報
【特許文献２】特開２０１２−３０５７０号公報
【図１】
0006346333.tif 000002
【図２】
0006346333.tif 000003
【図３】
0006346333.tif 000004
【図４】
0006346333.tif 000005
【図５】
0006346333.tif 000006
【図６】
0006346333.tif 000007
【図７】
0006346333.tif 000008
【図８】
0006346333.tif 000009
【図９】
0006346333.tif 000010